(57)【要約】【課題】  運転中の燃焼排ガスによる独特の臭気、石油臭さ等の臭気を感じさせることのない、快適性を増した液体燃料燃焼暖房機を提供する。【解決手段】  本体１と、この本体１内の下部に設置されたバーナ２と、このバーナ２を内蔵する燃焼室１０と、本体１の背面側に設置してその送風通路９ａを燃焼室１０に連ねた送風ファン９と、本体１の前面に配置された温風吹出口１２とより構成した液体燃料燃焼暖房機において、マイナスイオン発生器２８と、加熱すると気体状となり芳香する芳香剤加熱装置２５を本体１内に設け、暖房運転中に操作することにより前記マイナスイオン発生器２８と、前記芳香剤加熱装置２５を同時に動作させ、発生したマイナスイオンと気体状の芳香剤を本体１外に放出するようにした。【選択図】  図１
2005069525.tif 000002
【特許請求の範囲】
【請求項１】
本体（１）と、この本体（１）内の下部に設置されたバーナ（２）と、このバーナ（２）を内蔵する燃焼室（１０）と、本体（１）の背面側に設置してその送風通路（９ａ）を燃焼室（１０）に連ねた送風ファン（９）と、本体（１）の前面に配置された温風吹出口（１２）とより構成した液体燃料燃焼暖房機において、マイナスイオン発生器（２８）と、加熱すると気体状となり芳香する芳香剤加熱装置（２５）を本体（１）内に設け、暖房運転中に操作することにより前記マイナスイオン発生器（２８）と、前記芳香剤加熱装置（２５）を同時に動作させ、発生したマイナスイオンと気体状の芳香剤を本体（１）外に放出するようにしたことを特徴とする液体燃料燃焼暖房機。
【請求項２】
本体（１）の上部前面にマイナスイオン発生開始／停止指示装置（２４）と運転状況表示器（１７）を備えた操作パネル（１３）を設け、前記マイナスイオン発生開始／停止指示装置（２４）を操作することにより、マイナスイオン発生器（２８）と、芳香剤加熱装置（２５）の両方を動作させるとともに、前記運転状況表示器（１７）に動作中であることを表示するようにしたことを特徴とする請求項１記載の液体燃料燃焼暖房機。
【発明の詳細な説明】
【技術分野】
【０００１】
本発明は、液体燃料燃焼暖房機に関するものであり、特に居室などの暖房を行う際に臭気低減等を計り快適性を増すことに関する。
【背景技術】
【０００２】
従来の、石油燃料をガス化し、それを燃焼させることにより発生した熱を送風ファンによって器体外に送風し、居室などの暖房を行う機器であるこの種の液体燃料燃焼暖房機は、快適な室温が得られるように暖房するとともに、快適性を向上させるため、臭気低減の取組を行っており、点火開始時・消火時の燃料調整および空気量調整などのシーケンスで対応する方式（例えば、特許文献１参照）や、臭気物質吸着剤を用いて臭気物質を除去する方法（例えば、特許文献２参照）等を行っている。また、近年では送風される室内においてマイナスイオンを発生させ、居住者に快適な室内環境を得ることが出来るものが考えられている（例えば、特許文献３参照）。
【０００３】
【特許文献１】特開平０８−１１００４２号公報
【０００４】
【特許文献２】特開２００１−２７４２１号公報
【特許文献３】特開平１１−２１１２３６号公報
【発明の開示】
【発明が解決しようとする課題】
【０００５】
しかしながら、上記の従来技術において、最初のものおよび二番目のものは、ある程度臭気は低減されているが、運転中の燃焼排ガスによる独特の臭気、石油臭さはなかなか低減できるものではない状況である。
【０００６】
また、三番目のものはマイナスイオンを発生させて快適性を向上させているが、臭気低減と組み合わせてマイナスイオンを発生させ、快適性をさらに増した液体燃料燃焼暖房機は未だ提案されていない。
【０００７】
本発明は、このような従来の課題を解決するもので、その目的とするところは運転中の臭気を感じさせないようにするとともに、快適性を増した液体燃料燃焼暖房機を提供することにある。
【課題を解決するための手段】
【０００８】
上記課題を解決するため、本発明の請求項１では本体と、この本体内の下部に設置されたバーナと、このバーナを内蔵する燃焼室と、本体の背面側に設置してその送風通路を燃焼室に連ねた送風ファンと、本体の前面に配置された温風吹出口とより構成した液体燃料燃焼暖房機において、マイナスイオン発生器と、加熱すると気体状となり芳香する芳香剤加熱装置を本体内に設け、暖房運転中に操作することにより前記マイナスイオン発生器と、前記芳香剤加熱装置を同時に動作させ、発生したマイナスイオンと気体状の芳香剤を本体外に放出するようにしたものである。
【０００９】
また、請求項２では本体の上部前面にマイナスイオン発生開始／停止指示装置と運転状況表示器を備えた操作パネルを設け、前記マイナスイオン発生開始／停止指示装置を操作することにより、マイナスイオン発生器と、芳香剤加熱装置の両方を動作させるとともに、前記運転状況表示器に動作中であることを表示するようにしたものである。
【発明の効果】
【００１０】
本発明の請求項１では、マイナスイオン発生器と、加熱すると気体状となり芳香する芳香剤加熱装置を本体内に設け、暖房運転中に操作することにより前記マイナスイオン発生器と、前記芳香剤加熱装置を同時に動作させ、発生したマイナスイオンと気体状の芳香剤を本体外に放出するようにしたことにより、燃焼で生じた臭気や灯油臭を気体状の芳香剤の香りで感じさせなくするとともに、マイナスイオンによる鎮静的、抑制的作用を与えて精神状態を最良の状態に保持することにより、さらに快適な室内環境を得ることができる。
【００１１】
また、請求項２では、マイナスイオン発生開始／停止指示装置を操作することにより、マイナスイオン発生器と、芳香剤加熱装置の両方を動作させるとともに、前記運転状況表示器に動作中であることを表示するようにしたことにより、簡単な操作で快適な室内環境とすることができ、また、居住者に快適な室内環境が得られる機能が動作中であることを報知することができるので、安心感を持って使用することができる。
【発明を実施するための最良の形態】
【００１２】
以下、本発明の一実施例を、図１〜図５を用いて詳細に説明する。
【００１３】
図１は液体燃料燃焼暖房機の概略構造を示す断面図、図２は同じく燃焼部の概略構成を示す説明図、図３は同じくマイナスイオン発生部の概略縦断面図、図４は同じく制御を示すブロック図、図５は同じく液体燃料燃焼暖房機の斜視図である。
【００１４】
図において、１は液体燃料燃焼暖房機であるファンヒータと呼ばれる本体、２はこの本体１内の下部に設置されたバーナ、３は液体燃料である灯油を気化させる気化器、４はこの気化器３を加熱するヒータである。７は気化器３の温度を検知する気化器温度検知素子、２１はバーナ２に生じた炎に接することにより炎の存在を検知する炎状態検知装置、２２はバーナ２に点火する点火器である。
【００１５】
８は油受皿、１９はこの油受皿８に灯油を供給する給油タンク、１１は送油パイプ、５はポンプで油受皿８内の灯油を送油パイプ１１を通して気化器３に送り込むものである。６は気化器３の先端に取り付けられた噴出ノズル、１８はこの噴出ノズル６を開閉する電磁弁である。９はバーナ２に燃焼用の空気を送り込むとともに、燃焼によって発生した高温ガスを暖房機の本体１外へ送風する送風ファンで、本体１の背面側に取り付けられている。
【００１６】
１０は燃焼室で、バーナ２の上部を覆うように設置され、送風ファン９から供給される送風とバーナ２で発生した高温燃焼ガスとの混合が行なわれて温風化するところである。９ａはこの燃焼室１０で発生した温風を通す送風通路、１２は温風が吹き出される温風吹出口（ルーバー）で、本体１の前面に配置されている。
【００１７】
２７は本体１の前面上板１ａの内側と燃焼室１０の外側上部との間に形成された空間部で、この空間部２７は前記送風ファン９の送風通路９ａとほぼ遮断された状態となっており、送風ファン９からの送風空気が中に流入しないようにしている。
【００１８】
２０は高電圧を発生してマイナスイオンを発生するイオンユニットで、放電式のマイナスイオン発生器２８と、このマイナスイオン発生器２８に接続された電極２９で構成され、図示したように空間部２７内に設置された収納ケース９内に収納されている。
【００１９】
また、収納ケース９は、前記したマイナスイオンの発生を阻害しないように、帯電防止処理を施した合成樹脂製の電気絶縁材料（例えばＡＢＳ樹脂に帯電防止材料として炭素粉末等を添加したもの）により成形されている。
【００２０】
３０は温風吹出口１２の上部近傍に位置するように収納ケース９の前面に設けられた内側開口である。
【００２１】
３３は装飾プレートで、内側開口３０のある前面上板１ａの前面に取り付けられ、内側開口３０と対向した位置に放出口３１を設けている。
【００２２】
この装飾プレート３３は収納ケース９と同様にマイナスイオンの放出を阻害しないように、帯電防止処理を施した合成樹脂製の電気絶縁材料により成形されている。
【００２３】
２５は、円筒状の器内に半液体状の芳香剤を詰め、円筒状表面に加熱用ヒータ線（図示せず）を巻いた芳香剤加熱装置であり、芳香剤を加熱して温度を高め気体状にしている。２６は芳香剤加熱装置２５で発生させた気体状の芳香剤をイオンユニット２０へ誘導する連結管である。
【００２４】
３２は室温検知装置で送風ファン９の近傍で送風ファン９が吸い込む室内空気の温度を検出している。
【００２５】
１３は本体１の上部前面に設けられた操作パネルで、図４に示すように操作ボタンにより構成された運転開始指示装置１４と、運転停止指示装置１５と、マイナスイオン発生開始/停止指示装置２４と、室温設定装置１６と、数字や図形を表示することができる設定室温や実際室温等を表示するための運転状況表示器１７が組み込まれている。
【００２６】
２３は中央制御装置でマイクロコンピュータ回路で構成され、内蔵したプログラムに従い、運転開始指示装置１４と、運転停止指示装置１５と、室温設定装置１６と、室温検知装置３２と、炎状態検知装置２１と、気化器温度検知素子７と、マイナスイオン発生開始／停止指示装置２４の信号を入力し、ヒータ４と、ポンプ５と、送風ファン９と、電磁弁１８と、運転状況表示器１７と、点火器２２と、イオンユニット２０と、芳香剤加熱装置２５に出力して制御するものである。そして、マイナスイオン発生開始／停止指示装置２４を操作すると、イオンユニット２０のマイナスイオン発生器２８と、芳香剤加熱装置２５の両方に出力して動作させるとともに運転状況表示器１７にも出力し、運転中であることを表示するようにしている。
【００２７】
次に、このように構成した液体燃料燃焼暖房機の動作を説明する。
【００２８】
運転開始指示装置１４が操作されて運転の開始が指示されると、中央制御装置２３は気化器３のヒータ４への通電を開始するとともに気化器温度検知素子７を通して気化器３の温度を検知し、その温度が燃焼開始可能温度に達すると、ポンプ５を作動させて気化器３内の圧力を高め、気化ガスを噴出ノズル６から噴出させ、同時に、点火器２２を作動させてバーナ２に火炎を生成させる。そして炎状態検知装置２１によって炎の存在が確認されたときは、送風ファン９を作動させて燃焼室１０へ送風し、発生した温風が送風通路９ａと温風吹出口１２を介し、本体１外へ送風される。燃焼が開始された後は、中央制御装置２３は、正常な燃焼を維持するのに必要な気化器３の温度を、気化器温度検知素子７の信号を監視しながらヒータ４を制御する。
【００２９】
そして、室温設定装置１６によって設定された室温になるよう中央制御装置２３はポンプ５の駆動出力を高めて燃焼出力を増やし、一定室温の維持を目指す。
【００３０】
逆に室温が高い場合は、中央制御装置２３はポンプ５の駆動出力を低下させて燃焼出力を落し、一定室温の維持を目指す。
【００３１】
また、マイナスイオン発生開始/停止指示装置２４によりマイナスイオン発生開始指示操作が行なわれると、運転状況表示器１７に動作中であることの表示を行うとともに、イオンユニット２０のマイナスイオン発生器２８と、芳香剤加熱装置２５の両方の通電が開始する。イオンユニット２０が動作を開始すると、電極２９に高電圧が印加され、放電現象によってマイナスイオンが発生する。そして、この発生したマイナスイオンは収納ケース９及び前面上板１ａの内側開口３０を通して装飾プレート３３の放出口３１から本体１の前面に放出される。
【００３２】
このとき、マイナスイオン発生器２８の電極２９を収納する収納ケース９やマイナスイオンが放出される装飾プレート３３は、帯電防止処理を施した合成樹脂製の電気絶縁材料で成形したものであり、これによってその表面抵抗値が１×１０11Ωと小さくなり、イオンが帯電しにくくなる。このため、もし帯電したイオンがプラスで多い場合に、プラスイオンと電極２９で発生するマイナスイオンとが引き合い装飾プレート３３の放出口３１からのマイナスイオンの放出量が少なくなる現象が起こるが、イオンが帯電しにくいためプラスイオンとマイナスイオンとの引き合いが小さくなり、電極２９で発生したマイナスイオンがそのまま収納ケース９及び前面上板１ａの内側開口３０を通して装飾プレート３３の放出口３１から本体１の前面に放出される。
【００３３】
また、芳香剤加熱装置２５の通電が開始すると、加熱されて気体状となった芳香剤が連結管２６を介してイオンユニット２０へ誘導され、発生したマイナスイオンと気体状の芳香剤が同時に装飾プレート３３の放出口３１から本体１の前面に温風に乗せられるようにして放出され居室の中に運ばれ、室内に拡散されて室内空間をマイナスイオンと気体状の芳香剤で充満し、燃焼で生じた臭気や灯油臭を感じさせなくするとともに、マイナスイオンの効果による人体へ好影響、快適性を与えるものである。
【００３４】
このように、マイナスイオン発生器２８と、加熱すると気体状となり芳香する芳香剤加熱装置２５を本体１内に設け、暖房運転中に操作することにより前記マイナスイオン発生器２８と、前記芳香剤加熱装置２５を同時に動作させ、発生したマイナスイオンと気体状の芳香剤を本体外に放出するようにしたことにより、燃焼で生じた臭気や灯油臭を気体状の芳香剤の香りで感じさせなくするとともに、マイナスイオンによる鎮静的、抑制的作用を与えて精神状態を最良の状態に保持することにより、さらに快適な室内環境を得ることができる。
【００３５】
また、マイナスイオン発生開始／停止指示装置２４を操作することにより、マイナスイオン発生器２８と、芳香剤加熱装置２５の両方を動作させるとともに、前記運転状況表示器１７に動作中であることを表示するようにしたことにより、
簡単な操作で快適な室内環境とすることができ、また、居住者に快適な室内環境が得られる機能が動作中であることを報知することができるので、安心感を持って使用することができる。
【図面の簡単な説明】
【００３６】
【図１】本発明の一実施例の概略構造を示す断面図である。
【図２】同じく燃焼部の概略構成を示す説明図である。
【図３】同じくマイナスイオン発生部の概略縦断面図である。
【図４】同じく制御を示すブロック図である。
【図５】同じく液体燃料燃焼暖房機の斜視図である。
【符号の説明】
【００３７】
１  本体
２  バーナ
９  送風ファン
９ａ  送風通路
１０  燃焼室
１２  温風吹出口
１３  操作パネル
１７  運転状況表示器
２４  マイナスイオン発生開始／停止指示装置
２５  芳香剤加熱装置
２８  マイナスイオン発生器
【図１】
2005069525.tif 000003
【図２】
2005069525.tif 000004
【図３】
2005069525.tif 000005
【図４】
2005069525.tif 000006
【図５】
2005069525.tif 000007